(57)【要約】【課題】夏時間と非夏時間（冬時間）を切り替えて運用する場合でもプロセスデータを分かり易く画面表示する。【解決手段】サーバ装置１０で、第１の標準時刻を用いた検出時刻とプロセスデータとの組を履歴データとして保存し、クライアント端末２０で、サーバ装置１０から取得した履歴データの検出時刻を第２の標準時刻とその夏時間とに変換し、これら第１の標準時刻、第２の標準時刻、または夏時間のいずれか１つの時刻に基づいて、プロセスデータを時系列順に画面表示するとともに、第２の標準時刻と夏時間の両方、または操作選択されたいずれか一方を、当該プロセスデータに付随して画面表示する。【選択図】  図１
2010025729.tif 000002
【特許請求の範囲】
【請求項１】
通信ネットワークを介して接続されたサーバ装置とクライアント端末とからなり、前記サーバ装置でフィールド機器から収集したプロセスデータを、前記サーバ装置から前記通信ネットワークを介して前記クライアント端末で取得して画面表示するプロセス監視システムであって、
前記サーバ装置は、
第１の標準時刻を計時する標準時刻計時部と、
前記フィールド機器から前記プロセスデータを収集するとともに、前記標準時刻計時部から当該プロセスデータの検出時刻を示す第１の標準時刻を取得し、これらプロセスデータと第１の標準時刻との組からなる履歴データを履歴データベースへ保存するデータ収集部と、
前記履歴データベースから前記履歴データを読み出し、前記通信ネットワークを介して前記クライアント端末へ通知するデータ提供部と
を備え、
前記クライアント端末は、
前記サーバ装置から前記通信ネットワークを介して前記履歴データを取得するデータ取得部と、
前記データ取得部で取得した前記履歴データに含まれる前記第１の標準時刻を当該クライアント端末で用いる第２の標準時刻に変換するとともに、当該第２の標準時刻を所定時間だけシフトさせた夏時間に変換する時刻管理部と、
前記データ取得部で取得した前記履歴データに含まれる前記プロセスデータを、当該履歴データに含まれている前記第１の標準時刻、前記時刻管理部により変換した前記第２の標準時刻、または前記夏時間のいずれか１つの時刻に基づいて、時系列順に画面表示するとともに、前記第２の標準時刻と前記夏時間の両方、または操作選択されたいずれか一方を、当該プロセスデータに付随して画面表示部で画面表示する表示制御部と
を備える
ことを特徴とするプロセス監視システム。
【請求項２】
請求項１に記載のプロセス監視システムにおいて、
前記表示制御部は、前記履歴データに基づき当該プロセスデータに含まれるプロセス値の時系列変化をグラフで画面表示する際、前記第２の標準時刻からなる時間軸と前記夏時間からなる時間軸の両方、または操作選択されたいずれか一方を、当該グラフの時間軸として画面表示する
ことを特徴とするプロセス監視システム。
【請求項３】
請求項１に記載のプロセス監視システムにおいて、
前記表示制御部は、前記履歴データに基づき当該プロセスデータに含まれるイベントデータを時系列順に画面表示する際、前記第２の標準時刻と前記夏時間の両方、または操作選択されたいずれか一方を、当該イベントのイベント発生時刻として画面表示する
ことを特徴とするプロセス監視システム。
【請求項４】
請求項１に記載のプロセス監視システムにおいて、
前記表示制御部は、前記第２の標準時刻と前記夏時間のいずれかを選択するための操作シンボルを前記プロセスデータとともに画面表示し、前記第２の標準時刻と前記夏時間のうち前記操作シンボルで選択されたいずれか一方を、当該プロセスデータに付随して画面表示する
ことを特徴とするプロセス監視システム。
【請求項５】
通信ネットワークを介して接続されたサーバ装置とクライアント端末とからなり、前記サーバ装置でフィールド機器から収集したプロセスデータを、前記サーバ装置から前記通信ネットワークを介して前記クライアント端末で取得して画面表示するプロセス監視方法であって、
前記サーバ装置が、
第１の標準時刻を計時する標準時刻計時ステップと、
前記フィールド機器から前記プロセスデータを収集するとともに、前記標準時刻計時部から当該プロセスデータの検出時刻を示す第１の標準時刻を取得し、これらプロセスデータと第１の標準時刻との組からなる履歴データを履歴データベースへ保存するデータ収集ステップと、
前記履歴データベースから前記履歴データを読み出し、前記通信ネットワークを介して前記クライアント端末へ通知するデータ提供ステップと
を実行し、
前記クライアント端末が、
前記サーバ装置から前記通信ネットワークを介して前記履歴データを取得するデータ取得ステップと、
前記データ取得部で取得した前記履歴データに含まれる前記第１の標準時刻を当該クライアント端末で用いる第２の標準時刻に変換するとともに、当該第２の標準時刻を所定時間だけシフトさせた夏時間に変換する時刻管理ステップと、
前記データ取得部で取得した前記履歴データに含まれる前記プロセスデータを、当該履歴データに含まれている前記第１の標準時刻、前記時刻管理部により変換した前記第２の標準時刻、または前記夏時間のいずれか１つの時刻に基づいて、時系列順に画面表示するとともに、前記第２の標準時刻と前記夏時間の両方、または操作選択されたいずれか一方を、当該プロセスデータに付随して画面表示部で画面表示する表示制御ステップと
を実行する
ことを特徴とするプロセス監視方法。
【発明の詳細な説明】
【技術分野】
【０００１】
本発明は、プロセス監視技術に関し、特に夏時間と非夏時間（冬時間）を切り替えて運用する場合にプロセスデータを画面表示する技術に関する。
【背景技術】
【０００２】
プロセス監視システムでは、サーバ装置によりフィールド機器から収集した、プロセスの状態を示す各種計測値やプロセスで発生した各種イベントからなるプロセスデータを、クライアント端末の画面表示で表示する場合、当該計測値やイベントを検出した検出時刻を付随して画面表示している。
このようなプロセス監視システムにおいて、夏時間と非夏時間を切り替えて運用する場合、夏時間と非夏時間の切替時に時刻の進みや遅れが発生する。
【０００３】
従来、このような夏時間と非夏時間を切り替えて運用する場合の時刻管理については、１つの基準時刻を示す信号に基づいて、システム内のすべての装置で内部時刻を生成することにより、システム内の各装置で時刻の統一を図る方法が提案されている（例えば、特許文献１など参照）。
また、夏時間と非夏時間を切り替えに応じて、１つの遠隔制御装置から切替指示をシステム内のすべて装置へ送信し、各装置において自己の内部時計について時刻の進みや遅れを調整することにより、システム内の各装置で時刻の統一を図る方法が提案されている（例えば、特許文献２など参照）。
【０００４】
【特許文献１】特開２００３−３２２６９３号公報
【特許文献２】特開２００６−２００９０３号公報
【発明の開示】
【発明が解決しようとする課題】
【０００５】
このような従来技術では、プロセス監視システムを構成するすべての装置で時刻同期が行われるものの、その同期させた時刻に基づき検出時刻を管理することになる。したがって、夏時間の運用期間において夏時間を示し、非夏時間の運用期間において非夏時間を示す調整時刻が検出時刻として用いられる。
このため、夏時間と非夏時間の切替時を跨ぐ期間について、プロセスデータの履歴を画面表示する場合、当該プロセスデータを検出した検出時刻に基づいてそのまま１つの連続した時間軸でプロセスデータを表示した場合には、プロセスデータ自体に時間的な空白や重複が生じるため、プロセス監視を行うオペレータの誤認を招く可能性があった。
【０００６】
図１３は、従来の夏時間への切替時におけるトレンドグラフの画面表示例である。図１３（ａ）には、検出時刻とプロセス値の組からなる履歴データが示されており、切替時点Ｐ以前の履歴データには非夏時間からなる検出時刻が用いられ、切替時点Ｐ以降の履歴データには夏時間からなる検出時刻が用いられている。
ここで、非夏時間から夏時間への切替時点Ｐにおいて、検出時刻として用いる調整時刻に対して１時間分だけ進み補正が行われる。このため、図１３（ｂ）に示すように、これら調整時刻からなる検出時刻に基づいて、１つの連続した時間軸でプロセス値をトレンドグラフとして画面表示した場合、非夏時間から夏時間への切替時点Ｐにおいて、時間的空白が表示されてしまう。
【０００７】
図１４は、従来の非夏時間への切替時におけるトレンドグラフの画面表示例である。図１４（ａ）には、検出時刻とプロセス値の組からなる履歴データが示されており、切替時点Ｑ以前の履歴データには夏時間からなる検出時刻が用いられ、切替時点Ｑ以降の履歴データには非夏時間からなる検出時刻が用いられている。
ここで、夏時間から非夏時間への切替時点Ｑにおいて、検出時刻として用いる調整時刻に対して１時間分だけ遅れ補正が行われる。このため、図１４（ｂ）に示すように、これら調整時刻からなる検出時刻に基づいて、１つの連続した時間軸でプロセス値をトレンドグラフとして画面表示した場合、夏時間から非夏時間への切替時点Ｑにおいて、時間的重複が表示されてしまう。
【０００８】
本発明はこのような課題を解決するためのものであり、夏時間と非夏時間（冬時間）を切り替えて運用する場合でもプロセスデータを分かり易く画面表示できるプロセス監視システムおよび方法を提供することを目的としている。
【課題を解決するための手段】
【０００９】
このような目的を達成するために、本発明にかかるプロセス監視システムは、通信ネットワークを介して接続されたサーバ装置とクライアント端末とからなり、サーバ装置でフィールド機器から収集したプロセスデータを、サーバ装置から通信ネットワークを介してクライアント端末で取得して画面表示するプロセス監視システムであって、サーバ装置は、第１の標準時刻を計時する標準時刻計時部と、フィールド機器からプロセスデータを収集するとともに、標準時刻計時部から当該プロセスデータの検出時刻を示す第１の標準時刻を取得し、これらプロセスデータと第１の標準時刻との組からなる履歴データを履歴データベースへ保存するデータ収集部と、履歴データベースから履歴データを読み出し、通信ネットワークを介してクライアント端末へ通知するデータ提供部とを備え、クライアント端末は、サーバ装置から通信ネットワークを介して履歴データを取得するデータ取得部と、データ取得部で取得した履歴データに含まれる第１の標準時刻を当該クライアント端末で用いる第２の標準時刻に変換するとともに、当該第２の標準時刻を所定時間だけシフトさせた夏時間に変換する時刻管理部と、データ取得部で取得した履歴データに含まれるプロセスデータを、当該履歴データに含まれている第１の標準時刻、時刻管理部により変換した第２の標準時刻、または夏時間のいずれか１つの時刻に基づいて、時系列順に画面表示するとともに、第２の標準時刻と夏時間の両方、または操作選択されたいずれか一方を、当該プロセスデータに付随して画面表示部で画面表示する表示制御部とを備えている。
【００１０】
この際、表示制御部で、履歴データに基づき当該プロセスデータに含まれるプロセス値の時系列変化をグラフで画面表示する際、第２の標準時刻からなる時間軸と夏時間からなる時間軸の両方、または操作選択されたいずれか一方を、当該グラフの時間軸として画面表示するようにしてもよい。
【００１１】
また、表示制御部で、履歴データに基づき当該プロセスデータに含まれるイベントデータを時系列順に画面表示する際、第２の標準時刻と夏時間の両方、または操作選択されたいずれか一方を、当該イベントのイベント発生時刻として画面表示するようにしてもよい。
【００１２】
また、表示制御部で、第２の標準時刻と夏時間のいずれかを選択するための操作シンボルをプロセスデータとともに画面表示し、第２の標準時刻と夏時間のうち操作シンボルで選択されたいずれか一方を、当該プロセスデータに付随して画面表示するようにしてもよい。
【００１３】
また、本発明にかかるプロセス監視方法は、通信ネットワークを介して接続されたサーバ装置とクライアント端末とからなり、サーバ装置でフィールド機器から収集したプロセスデータを、サーバ装置から通信ネットワークを介してクライアント端末で取得して画面表示するプロセス監視方法であって、サーバ装置が、第１の標準時刻を計時する標準時刻計時ステップと、フィールド機器からプロセスデータを収集するとともに、標準時刻計時部から当該プロセスデータの検出時刻を示す第１の標準時刻を取得し、これらプロセスデータと第１の標準時刻との組からなる履歴データを履歴データベースへ保存するデータ収集ステップと、履歴データベースから履歴データを読み出し、通信ネットワークを介してクライアント端末へ通知するデータ提供ステップとを実行し、クライアント端末が、サーバ装置から通信ネットワークを介して履歴データを取得するデータ取得ステップと、データ取得部で取得した履歴データに含まれる第１の標準時刻を当該クライアント端末で用いる第２の標準時刻に変換するとともに、当該第２の標準時刻を所定時間だけシフトさせた夏時間に変換する時刻管理ステップと、データ取得部で取得した履歴データに含まれるプロセスデータを、当該履歴データに含まれている第１の標準時刻、時刻管理部により変換した第２の標準時刻、または夏時間のいずれか１つの時刻に基づいて、時系列順に画面表示するとともに、第２の標準時刻と夏時間の両方、または操作選択されたいずれか一方を、当該プロセスデータに付随して画面表示部で画面表示する表示制御ステップとを実行する。
【発明の効果】
【００１４】
本発明によれば、夏時間と非夏時間との切替時点において、プロセスデータの表示に時間的空白や重複が発生しない。したがって、特に夏時間と非夏時間（冬時間）を切り替えて運用する場合でもプロセスデータを分かり易く画面表示でき、プロセス監視を行うオペレータの誤認を抑制することが可能となる。
【発明を実施するための最良の形態】
【００１５】
次に、本発明の実施の形態について図面を参照して説明する。
［第１の実施の形態］
まず、図１を参照して、本発明の第１の実施の形態にかかるプロセス監視システムについて説明する。図１は、本発明の第１の実施の形態にかかるプロセス監視システムの構成を示すブロック図である。
【００１６】
製造プラントなどの各種産業用プラントでは、各プロセスについて、その温度、流量、圧力、濃度などのプロセス値を制御するプロセス制御システムを用いて、当該プロセスの運転状態を自動制御するものとなっている。
このようなプロセス制御システムでは、各種プロセス値をフィールド機器で制御するだけでなく、そのプロセス値をフィールド機器で計測して常時監視し、予め設定されている正常範囲を逸脱した場合は、外部装置へアラームやメッセージを通知するものとなっている。
【００１７】
一方、オペレータがこのようなプロセス制御システムを介してプロセスの運転業務を円滑に実施するため、プロセス制御システムを監視するプロセス監視システムが用いられる。
この種のプロセス監視システムでは、例えば、プロセス制御システムにおいて発生するアラームやメッセージなどの各種通知イベントに関する通知イベントデータや、プロセス制御システムで得られるプロセス値の推移を示すトレンドデータ（時系列データ）などのプロセスデータを、プロセス制御システムのフィールド機器から自動的に収集して画面表示することにより、オペレータに通知している。
【００１８】
このプロセス監視システム１００は、通信ネットワーク３０を介して相互に接続されたサーバ装置１０とクライアント端末２０とからなり、サーバ装置１０でプロセス制御システムから収集したプロセスデータを、サーバ装置１０から通信ネットワーク３０を介してクライアント端末２０で取得して画面表示する。この際、例えばプロセスデータがプロセス値であればその収集時刻を、またプロセスデータがイベントデータであればその発生時刻を、当該プロセスデータの検出時刻として合わせて画面表示する。
【００１９】
本実施の形態では、サーバ装置１０で、第１の標準時刻を用いた検出時刻とプロセスデータとの組を履歴データとして保存し、クライアント端末２０で、サーバ装置１０から取得した履歴データの検出時刻を第２の標準時刻とその夏時間とに変換し、これら第１の標準時刻、第２の標準時刻、または夏時間のいずれか１つの時刻に基づいて、時系列順に画面表示するとともに、第２の標準時刻と夏時間の両方、または操作選択されたいずれか一方を、当該プロセスデータに付随して画面表示している。
【００２０】
［サーバ装置の構成］
次に、図１を参照して、サーバ装置１０の構成について詳細に説明する。
サーバ装置１０は、一般的なワークステーション、サーバ装置、あるいはパーソナルコンピュータなどの情報処理装置からなる。サーバ装置１０には、主な機能部として、標準時刻計時部１１、データベース部１２、記憶部１３、データ収集部１４、およびデータ提供部１５が設けられており、内部バスを介して相互に接続されている。
【００２１】
標準時刻時計部１１は、ＧＰＳ（Global Positioning System）や時刻サーバから取得した時刻同期信号に基づいて、当該サーバ装置１０で用いる第１の標準時刻を計時する機能を有している。この第１の標準時刻としては、世界標準時刻（ＵＴＣ：Coordinated Universal Time）であってもよく、当該サーバ装置１０が設置されている地域、あるいはその他の地域のローカル標準時刻であって、世界標準時刻から所定の時差を有する標準時刻であってもよい。
【００２２】
履歴データベース１２は、ハードディスクやメモリなどの記憶装置からなり、データ収集部１４で取得したプロセスデータとその検出時刻との組を履歴データとして保存する機能を有している。
記憶部１３は、ハードディスクやメモリなどの記憶装置からなり、データ収集部１４やデータ提供部１５での処理動作に用いる各種処理情報やプログラムを記憶する機能を有している。
【００２３】
データ収集部１４は、プロセス制御システムのフィールド機器や外部装置からプロセスデータを収集する機能と、標準時刻計時部１１から当該プロセスデータ収集時を示す第１の標準時刻を取得し、これらプロセスデータと第１の標準時刻との組からなる履歴データを履歴データベース１２へ保存する機能を有している。
データ提供部１５は、履歴データベース１２から履歴データを読み出し、通信ネットワーク３０を介してクライアント端末２０へ通知する機能を有している。
【００２４】
サーバ装置１０のうち、標準時刻計時部１１、データ収集部１４、およびデータ提供部１５は、ＣＰＵとプログラムとが協働してなる演算処理部で、サーバ装置１０に設けられている内部データ通信機能を制御することにより実現すればよい。
【００２５】
［クライアント端末の構成］
次に、図１を参照して、クライアント端末２０の構成について詳細に説明する。
クライアント端末２０は、一般的なパーソナルコンピュータ、ＰＤＡ、携帯電話端末などの情報処理端末からなる。このクライアント端末２０には、主な機能として、時刻管理部２１、操作入力部２２、記憶部２３、画面表示部２４、データ取得部２５、および表示制御部２６が設けられており、内部バスを介して相互に接続されている。
【００２６】
時刻管理部２１は、データ取得部２５でサーバ装置１０から取得した履歴データに含まれる第１の標準時刻を当該クライアント端末で用いる第２の標準時刻に変換する機能と、当該第２の標準時刻を所定時間だけシフトさせた夏時間に変換する機能とを有している。
操作入力部２２は、キーボードやマウスなどの操作入力装置からなり、オペレータの操作を検出する機能を有している。
【００２７】
記憶部２３は、ハードディスクやメモリなどの記憶装置からなり、時刻管理部２１、データ取得部２５、および表示制御部２６での処理動作に用いる、履歴データなどの各種処理情報やプログラムを記憶する機能を有している。
画面表示部２４は、ＬＣＤやＰＤＰなどの画面表示装置からなり、表示制御部２６からの指示に応じて、プロセスデータや時刻情報などの各種情報を画面表示する機能を有している。
【００２８】
データ取得部２５は、通信ネットワーク３０を介してサーバ装置１０から履歴データを取得する機能と、取得した履歴データを記憶部２３へ保存する機能とを有している。
表示制御部２６は、データ取得部２５で取得した履歴データに含まれるプロセスデータを、当該履歴データに含まれている第１の標準時刻、時刻管理部により変換した第２の標準時刻、または夏時間のいずれか１つの時刻に基づいて、時系列順に画面表示部２４で画面表示する機能と、第２の標準時刻と夏時間の両方、または操作選択されたいずれか一方を、当該プロセスデータに付随して画面表示部２４で画面表示する機能とを有している。
【００２９】
［第１の実施の形態の動作］
次に、本発明の第１の実施の形態にかかるプラント監視システムの動作について説明する。ここでは、サーバ装置１０で計時する第１の標準時刻が世界標準時刻（ＵＴＣ）からなり、クライアント端末２０で用いる第２の標準時刻が日本標準時刻（ＪＳＴ：Japan Standard Time）からなる場合について説明する。また、夏時間が日本標準時刻を１時間分だけ遅れ補正したもの（ＳＴＭ＝ＪＳＴ＋１：００）とする。なお、夏時間の運用については、３月の第２日曜日の午前２時（切替時点Ｐ）に非夏時間から夏時間へ切り替えられ、１１月の第１日曜日の午前２時（切替時点Ｑ）に夏時間から非夏時間へ切り替えられるものとする。
【００３０】
［サーバ装置の動作］
まず、図２および図３を参照して、サーバ装置１０の動作について説明する。図２は、本発明の第１の実施にかかるサーバ装置でのデータ収集処理を示すフローチャートである。図３は、履歴データの構成例である。
サーバ装置１０のデータ収集部１４は、常時、プロセス制御システムのフィールド機器や外部装置を監視しており、一定周期でプロセス値を収集し、あるいはフィールド機器や外部装置からの通知に応じてイベントデータを収集する（ステップ１００）。
次に、データ収集部１４は、プロセス値やイベントデータなどのプロセスデータを収集した際、標準時刻計時部１１から第１の標準時刻、ここでは世界標準時刻（ＵＴＣ）を検出時刻として取得する（ステップ１０１）。
【００３１】
この際、検出時刻としては、夏時間／非夏時間の調整を加えた調整時刻ではなく、第１の標準時刻を用いているため、図３に示すように、夏時間／非夏時間の切替時点Ｐ，Ｑにおける検出時刻の時間的空白や重複は発生しない。
この後、データ収集部１４は、プロセスデータと検出時刻との組からなる履歴データを履歴データベース１２へ保存する（ステップ１０２）。
【００３２】
［クライアント端末の動作］
次に、図４および図５を参照して、クライアント端末２０の動作について説明する。図４は、本発明の第１の実施にかかるクライアント端末でのプロセスデータ表示処理を示すフローチャートである。図５は、時刻管理部での時刻変換処理を示す説明図である。
クライアント端末２０のデータ取得部２５は、操作入力部２２で検出されたオペレータ操作に応じて、あるいは定期的に、あるいはサーバ装置１０からの通知に応じて、通信ネットワーク３０を介してサーバ装置１０のデータ提供部１５とデータ通信を行うことにより、サーバ装置１０の履歴データベース１２に保存されている履歴データを取得し、記憶部２３へ保存する（ステップ１１０）。
【００３３】
時刻管理部２１は、データ取得部２５によりサーバ装置１０から取得された履歴データを記憶部２３から読み出し、個々の履歴データに含まれている第１の標準時刻からなる検出時刻を、第２の標準時刻からなる検出時刻にそれぞれ変換するとともに（ステップ１１１）、その第２の標準時間からなる検出時刻を夏時間にそれぞれ変換する（ステップ１１２）。
【００３４】
第１の標準時間と第２の標準時間の間には一定の標準時刻時差が存在するため、この標準時刻時差を予め記憶部２３に時刻管理情報として保存しておく。この例では、第１の標準時刻が世界標準時刻（ＵＴＣ）であり、第２の標準時刻が日本標準時刻（ＪＳＴ）であることから、標準時刻時差は＋９時間となる。したがって、この例では、標準時刻時差は＋９時間であることから、第２の標準時刻からなる検出時刻（ＪＳＴ）は、ＪＳＴ＝ＵＴＣ＋９：００で求められる。なお、第１の標準時刻と第２の標準時刻とが同じ標準時刻であってもよく、この場合には、標準時刻時差＝０として処理するか、第１の標準時刻をそのまま第２の標準時刻として用いればよい。
【００３５】
また、夏時間の運用については、夏時間／非夏時間の夏時間時差を、予め記憶部２３に時刻管理情報として保存しておく。この例では、夏時間時差が＋１時間であることから、夏時間（ＳＴＭ）は、ＳＴＭ＝ＪＳＴ＋１：００で求められる。
したがって、図５に示すように、時刻管理部２１において、履歴データの検出時刻（ＵＴＣ）が、それぞれ第２の標準時刻（ＪＳＴ）および夏時間（ＳＴＭ）に変換される。
【００３６】
表示制御部２６は、データ取得部２５によりサーバ装置１０から取得された履歴データを記憶部２３から読み出し、その履歴データに含まれるプロセスデータを、当該履歴データに含まれている第１の標準時刻、時刻管理部２１により変換した第２の標準時刻、または夏時間のいずれか１つの時刻に基づいて、時系列順に画面表示するとともに（ステップ１１３）、第２の標準時刻からなる時間軸と夏時間からなる時間軸の両方を当該プロセスデータに付随して画面表示部２４で画面表示する（ステップ１１４）。
【００３７】
図６は、本発明の第１の実施の形態にかかる夏時間への切替時におけるトレンドグラフの画面表示例である。図７は、本発明の第１の実施の形態にかかる非夏時間への切替時におけるトレンドグラフの画面表示例である。
表示制御部２６において、プロセス値は、夏時間／非夏時間の調整を加えた調整時刻ではなく、第１の標準時刻、第２の標準時刻、または夏時間のいずれか１つを用いて、時系列順に画面表示される。このため、図１３（ｂ）や図１４（ｂ）に示したような、調整時刻を用いて時系列順に画面表示した場合と比較して、図６や図７において、トレンドグラフに時間的空白や重複は発生していない。
【００３８】
また、図６および図７の画面表示例では、第２の標準時刻からなる時間軸４１と夏時間からなる時間軸４２の両方が当該プロセスデータに付随して画面表示部２４で画面表示されている。これにより、プロセス監視を行うオペレータが、夏時間と非夏時間の間で時間軸を誤認することもない。
【００３９】
［第１の実施の形態の効果］
このように、本実施の形態では、サーバ装置１０で、第１の標準時刻を用いた検出時刻とプロセスデータとの組を履歴データとして保存し、クライアント端末２０で、サーバ装置１０から取得した履歴データの検出時刻を第２の標準時刻とその夏時間とに変換し、これら第１の標準時刻、第２の標準時刻、または夏時間のいずれか１つの時刻に基づいて、時系列順に画面表示するとともに、第２の標準時刻と夏時間の両方、または操作選択されたいずれか一方を、当該プロセスデータに付随して画面表示している。
【００４０】
より具体的には、プロセスデータがプロセス値の時系列データからなる場合、履歴データに基づき当該プロセスデータに含まれるプロセス値の時系列変化をグラフで画面表示する際、第２の標準時刻からなる時間軸と夏時間からなる時間軸の両方を、当該グラフの時間軸として画面表示している。
【００４１】
このため、調整時刻を用いて時系列順に画面表示した場合と比較して、夏時間と非夏時間との切替時点Ｐ，Ｑにおいて、プロセスデータの表示に時間的空白や重複が発生しない。したがって、特に夏時間と非夏時間（冬時間）を切り替えて運用する場合でもプロセスデータを分かり易く画面表示でき、プロセス監視を行うオペレータの誤認を抑制することが可能となる。
【００４２】
また、本実施の形態では、プロセスデータがプロセス値の時系列データからなる場合を例として説明したが、プロセスデータの種類についてはこれに限定されるものではなく、イベントデータであってもよい。図８は、イベントデータの画面表示例である。通常、イベントデータを時系列で表示する場合、図８のような表形式で画面表示する。したがって、表示制御部２６により、各イベントデータに対応する検出時刻として、第１の標準時刻に対応する第２の標準時刻４３とその夏時間４４の両方を、イベントデータごとに付随して画面表示すればよい。
【００４３】
［第２の実施の形態］
次に、本発明の第２の実施の形態にかかるプロセス監視システムについて説明する。
第１の実施の形態では、第２の標準時刻と夏時間の両方を、プロセスデータに付随して画面表示する場合について説明した。本実施の形態では、第２の標準時刻と夏時間のうち操作選択されたいずれか一方をプロセスデータに付随して画面表示する場合について説明する。
【００４４】
本実施の形態にかかるクライアント端末２０の表示制御部２６は、履歴データに含まれる第１の標準時刻に対応する第２の標準時刻と夏時間のうち、いずれか一方をプロセスデータに付随して画面表示する機能と、第２の標準時刻と夏時間のいずれか一方を操作選択するための操作シンボルをプロセスデータとともに画面表示する機能と、この操作シンボルで選択された第２の標準時刻と夏時間のいずれか一方をプロセスデータに付随して画面表示する機能とを有している。
本実施の形態におけるサーバ装置１０とクライアント端末２０における他の構成については、第１の実施の形態と同様であり、ここでの詳細な説明は省略する。
【００４５】
［第２の実施の形態の動作］
次に、本発明の第２の実施の形態にかかるプラント監視システムの動作について説明する。ここでは、プロセスデータがイベントデータからなる場合について説明する。なお、サーバ装置の動作については、第１の実施の形態と同様であり、ここでの詳細な説明は省略する。
【００４６】
［クライアント端末の動作］
図９を参照して、クライアント端末２０の動作について説明する。図９は、本発明の第２の実施にかかるクライアント端末でのプロセスデータ表示処理を示すフローチャートである。
クライアント端末２０のデータ取得部２５は、操作入力部２２で検出されたオペレータ操作に応じて、あるいは定期的に、あるいはサーバ装置１０からの通知に応じて、通信ネットワーク３０を介してサーバ装置１０のデータ提供部１５とデータ通信を行うことにより、サーバ装置１０の履歴データベース１２に保存されている履歴データを取得し、記憶部２３へ保存する（ステップ１１０）。
【００４７】
時刻管理部２１は、データ取得部２５によりサーバ装置１０から取得された履歴データを記憶部２３から読み出し、個々の履歴データに含まれている第１の標準時刻からなる検出時刻を、第２の標準時刻からなる検出時刻にそれぞれ変換するとともに（ステップ１１１）、その第２の標準時間からなる検出時刻を夏時間にそれぞれ変換する（ステップ１１２）。時刻変換の詳細は第１の実施の形態と同様である。
【００４８】
表示制御部２６は、データ取得部２５によりサーバ装置１０から取得された履歴データを記憶部２３から読み出し、その履歴データに含まれるプロセスデータを、当該履歴データに含まれている第１の標準時刻、時刻管理部２１により変換した第２の標準時刻、または夏時間のいずれか１つの時刻に基づいて、時系列順に画面表示する（ステップ１１３）。
【００４９】
次に、表示制御部２６は、第２の標準時刻と夏時間のいずれか一方を当該プロセスデータに付随して画面表示部２４で画面表示する（ステップ１１４）。この際、第２の標準時刻と夏時間のうち、初回（デフォルト）に表示する時刻を予め記憶部２３に表示制御情報として保存しておく。表示制御部２６は、ステップ１１４において、記憶部２３から読み出した表示制御情報の内容に基づいて、第２の標準時刻と夏時間のいずれか一方を選択し、当該プロセスデータに付随して画面表示する。ここでは、初回において第２の標準時刻（非夏時間）を表示するものとする。
【００５０】
続いて、表示制御部２６は、第２の標準時刻と夏時間のいずれか一方を操作選択するための操作シンボル５０をプロセスデータとともに画面表示する（ステップ１１５）。操作シンボル５０としては、例えばＨＴＭＬ（HyperText Markup Language）などのＣＧＩ（Common Gateway Interface）で広く用いられているチェックボックスやラジオボタンなどのシンボルを利用すればよい。
図１０は、本発明の第２の実施の形態にかかるイベントデータ（非夏時間）の画面表示例である。この例では、操作シンボルとして、検出時刻のタイトル欄に「□夏時間」というチェックボックスが画面表示されている。
【００５１】
この操作シンボル５０には、当該操作シンボルの操作状態を示すチェックマークや黒丸などの状態表示シンボル５１と、当該操作シンボルの操作内容を示す文字情報からなるキャプション５２とが設けられている。表示制御部２６は、キャプション５２の内容とステップ１１４で選択表示した第２の標準時刻と夏時間のいずれかの選択状態とに基づいて、状態表示シンボル５１の表示内容を切替制御することにより、現在、画面表示している時刻が夏時間と非夏時間のいずれかを画面表示する。
【００５２】
例えば、図１０では、操作シンボル５０のキャプション５２が「夏時間」であり、初回表示として非夏時間を選択表示していることから、当該操作シンボル５０の状態表示シンボル５１として、チェックマークや黒丸を付加しない非選択状態を画面表示する。これにより、オペレータは、操作シンボル５０の状態表示シンボル５１として非選択状態が画面表示されていることから、現在表示されている時刻が非夏時間であると、容易に認識することが可能となる。
【００５３】
この後、当該操作シンボル５０による表示選択操作待ちに移行する（ステップ１１６）。ここで、オペレータが操作入力部２２のマウスなどを用いて操作シンボル５０で表示選択操作を行った場合（ステップ１１６：ＹＥＳ）、表示制御部２６は、第２の標準時刻と夏時間のうち現在非表示状態にある他方の時刻をプロセスデータに付随して画面表示する（ステップ１１７）。
続いて、表示制御部２６は、ステップ１１５へ戻り、ステップ１１７で選択表示した時刻に合わせて、時刻を操作選択するための操作シンボル５０をプロセスデータとともに画面表示する（ステップ１１５）。
【００５４】
したがって、初回表示として非夏時間を選択表示した後、操作シンボル５０により表示選択操作が行われた場合、プロセスデータに付随して夏時間が画面表示される。図１１は、本発明の第２の実施の形態にかかるイベントデータ（夏時間）の画面表示例である。この例では、検出時刻のタイトル欄に操作シンボル５０として画面表示されているチェックボックスの状態表示シンボル５１として、チェックマークや黒丸を付加した選択状態を画面表示する。これにより、オペレータは、操作シンボル５０の状態表示シンボル５１として選択状態が画面表示されていることから、現在表示されている時刻が夏時間であると、容易に認識することが可能となる。
【００５５】
［第２の実施の形態の効果］
このように、本実施の形態では、クライアント端末２０で、サーバ装置１０から取得した履歴データの検出時刻を第２の標準時刻とその夏時間とに変換し、これら第１の標準時刻、第２の標準時刻、または夏時間のいずれか１つの時刻に基づいて、時系列順に画面表示するとともに、第２の標準時刻と夏時間のうち、操作選択されたいずれか一方を、当該プロセスデータに付随して画面表示している。
より具体的には、履歴データに基づき当該プロセスデータに含まれるイベントデータを時系列順に画面表示する際、第２の標準時刻と夏時間のうち操作選択されたいずれか一方を、当該イベントのイベント発生時刻として画面表示している。
【００５６】
このため、調整時刻を用いて時系列順に画面表示した場合と比較して、夏時間と非夏時間との切替時点Ｐ，Ｑにおいて、プロセスデータの表示に時間的空白や重複が発生しない。したがって、特に夏時間と非夏時間（冬時間）を切り替えて運用する場合でもプロセスデータを分かり易く画面表示でき、プロセス監視を行うオペレータの誤認を抑制することが可能となる。
【００５７】
また、本実施の形態では、第２の標準時刻と夏時間のいずれかを選択するための操作シンボル５０をプロセスデータとともに画面表示し、第２の標準時刻と夏時間のうち操作シンボル５０で選択されたいずれか一方を、当該プロセスデータに付随して画面表示するようにしたので、オペレータが極めて簡素な操作により、第２の標準時刻と夏時間を切替表示して確認することができ、オペレータの誤認をさらに抑制することが可能となる。
【００５８】
また、本実施の形態では、プロセスデータがイベントデータからなる場合を例として説明したが、プロセスデータの種類についてはこれに限定されるものではなく、プロセス値であってもよい。図１２は、本発明の第２の実施の形態にかかる夏時間への切替時におけるトレンドグラフの画面表示例である。通常、プロセスデータを時系列で表示する場合、図１２のようなトレンドグラフで画面表示する。したがって、表示制御部２６により、各イベントデータに対応する検出時刻として、第１の標準時刻に対応する第２の標準時刻とその夏時間のいずれか一方を、トレンドグラフの時間軸に付随して画面表示すればよい。また、図１０や図１１と同様の操作シンボル５０をプロセスデータに付随して画面表示してもよい。
【００５９】
具体的には、図１２（ａ）において、非夏時間を用いたレンドグラフの画面表示例が示されており、操作シンボル５０の状態表示シンボル５１として、チェックマークや黒丸を付加しない非選択状態が画面表示されている。また、時間軸として第２の標準時刻（非夏時間）を示す時間軸５３が画面表示されている。
また、図１２（ｂ）において、夏時間を用いたトレンドグラフの画面表示例が示されており、操作シンボル５０の状態表示シンボル５１として、チェックマークや黒丸を付加した選択状態が画面表示されている。また、時間軸として夏時間を示す時間軸５４が画面表示されている。
【００６０】
［実施の形態の拡張］
以上では、第１の標準時刻と第２の標準時刻とが異なる場合を例として説明したが、前述したように、第１の標準時刻と第２の標準時刻とが同じ標準時刻であってもよく、この場合には、標準時刻差＝０として処理するか、第１の標準時刻をそのまま第２の標準時刻として用いればよい。
【００６１】
つまり、本発明のプロセス監視システム１００が地域的に広範囲にわたってクライアント端末２０が設置されるような場合には、当然、クライアント端末ごとにそれぞれ個別の第２の標準時刻が用いられることを想定するものだが、もしも、ローカルなプロセス監視システムであったならば、サーバ装置１０およびクライアント端末２０に共通に、１つの標準時刻で済むことがある。このような実施の形態についても、本発明の範囲に属すると理解すべきである。
【００６２】
また、さらに小規模なプロセス監視システムでは、当該サーバ装置とクライアント端末の両方の機能を１つの装置内に備えるスタンドアローンな形態で実施される場合もあり、このような実施の形態についても、本発明の範囲に属すると理解すべきである。
【図面の簡単な説明】
【００６３】
【図１】本発明の第１の実施の形態にかかるプロセス監視システムの構成を示すブロック図である。
【図２】本発明の第１の実施にかかるサーバ装置でのデータ収集処理を示すフローチャートである。
【図３】履歴データの構成例である。
【図４】本発明の第１の実施にかかるクライアント端末でのプロセスデータ表示処理を示すフローチャートである。
【図５】時刻管理部での時刻変換処理を示す説明図である。
【図６】本発明の第１の実施の形態にかかる夏時間への切替時におけるトレンドグラフの画面表示例である。
【図７】本発明の第１の実施の形態にかかる非夏時間への切替時におけるトレンドグラフの画面表示例である。
【図８】イベントデータの画面表示例である。
【図９】本発明の第２の実施にかかるクライアント端末でのプロセスデータ表示処理を示すフローチャートである。
【図１０】本発明の第２の実施の形態にかかるイベントデータ（非夏時間）の画面表示例である。
【図１１】本発明の第２の実施の形態にかかるイベントデータ（夏時間）の画面表示例である。
【図１２】本発明の第２の実施の形態にかかるトレンドグラフの画面表示例である。
【図１３】従来の夏時間への切替時におけるトレンドグラフの画面表示例である。
【図１４】従来の非夏時間への切替時におけるトレンドグラフの画面表示例である。
【符号の説明】
【００６４】
１００…プロセス監視システム、１０…サーバ装置、１１…標準時刻計時部、１２…履歴データベース、１３…記憶部、１４…データ収集部、１５…データ提供部、２０…クライアント端末、２１…時刻管理部、２２…操作入力部、２３…記憶部、２４…画面表示部、２５…データ取得部、２６…表示制御部、３０…通信ネットワーク、４１…時間軸（非夏時間）、４２…時間軸（夏時間）、４３…非夏時間、４４…夏時間、５０…操作シンボル、５１…状態表示シンボル、５２…キャプション、５３…時間軸（非夏時間）、５４…時間軸（夏時間）。
【図１】
2010025729.tif 000003
【図２】
2010025729.tif 000004
【図３】
2010025729.tif 000005
【図４】
2010025729.tif 000006
【図５】
2010025729.tif 000007
【図６】
2010025729.tif 000008
【図７】
2010025729.tif 000009
【図８】
2010025729.tif 000010
【図９】
2010025729.tif 000011
【図１０】
2010025729.tif 000012
【図１１】
2010025729.tif 000013
【図１２】
2010025729.tif 000014
【図１３】
2010025729.tif 000015
【図１４】
2010025729.tif 000016